(57)【要約】  本発明は、積み重ね可能な製品パッケージ、それを製造する方法、および製品パッケージ・ブランクに関する。積み重ね可能な製品パッケージは、本体部（２）を含み、本体部（２）は、底部（３）と、底部（３）と関連した壁部（２ａ、２ｂ、２ｃ）と、リム部材（４ａ）とを設けられており、リム部材（４ａ）は、壁部の上部縁部において、折り畳み線（４ｅ）に沿って外向きに折られており、実質的に平面的なリム部分（４）を構成しており、本体部（２）は、パックされることとなる製品のための受け入れスペースを囲んでいる。本体部（１）のそれぞれの中間壁部（２ｃ）の側方縁部において、および、折り畳み線（２ｅ）の近位において、ブラケット部材（２ｆ、２ｇ）が提供されており、入れ子にされたときに、製品パッケージ（１）を間隔を離して配置された状態に維持する。
2021502313.tif 000002
【特許請求の範囲】
【請求項１】
積み重ね可能な製品パッケージであって、前記積み重ね可能な製品パッケージは、本体部（２）を含み、前記本体部（２）は、底部（３）と、前記底部（３）と関連した壁部（２ａ、２ｂ、２ｃ）と、リム部材（４ａ）とを設けられており、前記リム部材（４ａ）は、前記壁部の上側縁部において、折り畳み線（４ｅ）に沿って外向きに折られており、実質的に平面的なリム部分（４）を構成しており、前記本体部（２）は、パックされることとなる製品のための受け入れスペースを囲んでいる、積み重ね可能な製品パッケージにおいて、前記本体部（２）のそれぞれの中間壁部（２ｃ）の側方縁部において、および、折り畳み線（２ｅ）の近位において、ブラケット部材（２ｆ、２ｇ）が提供されており、入れ子にされたときに、前記製品パッケージ（１）を間隔を離して配置された状態に維持することを特徴とする、積み重ね可能な製品パッケージ。
【請求項２】
前記本体部（２）は、少なくとも４つのブラケット部材（２ｆ、２ｇ）、最も好ましくは、８つのブラケット部材（２ｆ、２ｇ）を適切に含むことを特徴とする、請求項１に記載の積み重ね可能な製品パッケージ。
【請求項３】
前記本体部（２）は、ブラケット部材（２ｇ）を含み、前記ブラケット部材（２ｇ）は、前記本体部（２）のそれぞれの中間壁部（２ｃ）から外へカットされており、この壁部（２ｃ）から外に曲げられることを特徴とする、請求項１または２に記載の積み重ね可能な製品パッケージ。
【請求項４】
前記製品パッケージが、入れ子にされた方式で積み重ねられているときに、上側製品パッケージ（１）の前記ブラケット部材（２ｆ、２ｇ）の支持面は、下側製品パッケージ（１）の前記リム部材（４ａ）の上側面の上に支持されることを特徴とする、請求項１から３のいずれか一項に記載の積み重ね可能な製品パッケージ。
【請求項５】
前記ブラケット部材（２ｆ、２ｇ）の支持面から同じ製品パッケージ（１）の前記リム部材（４ａ）の下側面への前記距離（Ｅ）は、１ミリメートル、および、好ましくは、４ミリメートルから６ミリメートルに適切に等しくなっているか、または、それよりも大きくなっていることを特徴とする、請求項１から４のいずれか一項に記載の積み重ね可能な製品パッケージ。
【請求項６】
前記本体部（２）の材料は、リサイクル可能なボール紙または段ボールであることを特徴とする、請求項１から５のいずれか一項に記載の積み重ね可能な製品パッケージ。
【請求項７】
前記製品パッケージ（１）は、食料品パッケージであることを特徴とする、請求項１から６のいずれか一項に記載の積み重ね可能な製品パッケージ。
【請求項８】
積み重ね可能な製品パッケージを製造する方法であって、底部（３）および壁部（２ａ、２ｂ、２ｃ）を有する、パックされることとなる製品のための受け入れスペースと、前記受け入れスペースのための本体部（２）と、折り目（４ｅ）によってリム部材（４ａ）から生成される実質的に平面的なリム部分（４）とが、前記製品パッケージ（１）に関して形成されている、方法において、２つ以上のブラケット部材（２ｆ、２ｇ）が、折り畳み線（２ｅ）の近位において、中間壁部（２ｃ）の中に生成されていることを特徴とする、方法。
【請求項９】
前記製品パッケージ（１）の前記本体部（２）の前記ブラケット部材（２ｆ）は、製品パッケージ・ブランクの中に作製されたブラケット部材（２ｆ）カッティング・パターンから形成されることを特徴とする、請求項８に記載の方法。
【請求項１０】
前記製品パッケージ（１）の前記本体部（２）の前記ブラケット部材（２ｇ）は、随意的な内側ライニングを適用する前に、前記本体部（２）の前記中間壁部（２ｃ）の中へカットされている前記ブラケット部材（２ｇ）を、前記中間壁部（２ｃ）の表面平面から外へ曲げることによって生成されることを特徴とする、請求項８または９に記載の方法。
【請求項１１】
前記製品パッケージ（１）の前記本体部（２）、前記リム部材（４ａ）、および、その前記ブラケット部材（２ｆ、２ｇ）は、折り目によって固体の製品パッケージ・ブランク（５、６）から形成されていることを特徴とする、請求項８、９、または１０に記載の方法。
【請求項１２】
製品パッケージ・ブランクであって、前記製品パッケージ・ブランクは、シート状の構造体を含み、前記シート状の構造体は、リサイクル可能なファイバー材料から作製されており、折り畳み線（３ｅ、４ｅ）および切り込みによって分離されている、底部部分、壁部部分、およびリム部分を有しており、製品パッケージ（１）の底部（３）、壁部（２ａ、２ｂ、２ｃ）、およびリム部分（４ａ）が、折り畳むことによって前記製品パッケージ・ブランクから生成されるようになっている、製品パッケージ・ブランクにおいて、前記製品パッケージ・ブランク（５、６）は、前記中間壁部部分（２ｃ）から外へ形成されたブラケット部材（２ｆ、２ｇ）を有していることを特徴とする、製品パッケージ・ブランク。
【請求項１３】
切り込みが、前記製品パッケージ・ブランク（６）の中に作製されており、前記切り込みは、前記中間壁部部分（２ｃ）を通って延在しており、本体部（２）から前記製品パッケージ（１）の外側へ曲げ可能なブラケット部材（２ｇ）を形成していることを特徴とする、請求項１２に記載の製品パッケージ・ブランク。
【発明の詳細な説明】
【技術分野】
【０００１】
本発明は、リサイクル可能なファイバー材料から主に作製された食料品パッケージなどのような、請求項１のプリアンブルに開示されているような積み重ね可能な製品パッケージ、および、請求項８のプリアンブルに開示されているような、前記積み重ね可能な製品パッケージを製造する方法、ならびに、とりわけ、請求項１の積み重ね可能な製品パッケージを製造するための、請求項１２のプリアンブルに開示されているような製品パッケージ・ブランクに関する。積み重ね可能な製品パッケージは、互いの中に入れ子にされているときに、製品パッケージを間隔を離して配置された状態に維持することを意図したブラケット部材を含む。積み重ね可能な製品パッケージのための好ましい材料オプションは、段ボール、ボール紙、または、任意の他の適当なリサイクル可能なファイバー材料を含むことが可能である。
【背景技術】
【０００２】
たとえば、電子レンジなどの中で加熱され得るレディー・ミールをパックするために利用可能な異なる種類の食料品パッケージが存在しているということが知られている。現在では、これらのパッケージの主要部は、リサイクル不可能なプラスチックから全体的に作製されている。これは、非常に大きな環境問題である。そのうえ、その設計は、水平方向の円周方向フランジを含み、水平方向の円周方向フランジは、パッケージ全体の上部縁部の周りに延在しており、また、パッケージが充填されると、および、必要な場合には、その中に含有されている食品が調理されると、熱シーリングによってパッケージをしっかりと閉じるために使用されるパッケージ蓋のための取り付け面およびシーミング・ベースとして意図されている。
【０００３】
また、従来のプラスチック・パッケージのように、ボール紙などから作製され、たとえば、その内側を別個の食料品フォイルによってライニングされている食料品パッケージが知られている。このような解決策は、ＥＰ２４４１６９６に開示されている。この特許明細書の中で説明されているボール紙ベースの食料品パッケージの上部縁部は、上記に説明されているプラスチック・パッケージと同様に、蓋を取り付けるための実質的に水平方向の横方向に延在する平面的な円周方向フランジを設けられている。スペース節約のために、出来上がったときに、製品パッケージ・スタックの中に互いの中および上に製品パッケージ・ボックスを貯蔵および維持することが好ましい。しかし、貯蔵および輸送の間に、詰まり（ｊａｍｍｉｎｇ）が製品パッケージ・スタックの中に起こることが多く、場合によっては、製品パッケージ・ボックス・スタックから単一の製品パッケージ・ボックスをピックアップすることを困難にする。製品パッケージ・ボックスは、自動的に充填され、単一の製品パッケージ・ボックスは、マシンによって製品パッケージ・ボックスからピックアップされる。詰まった状態で互いに付着した任意の製品パッケージ・ボックスは、充填プロセスを妨害し、そして、それは、製品バッチ製造時間を延長し、生産プロセスの効率を減少させる。
【０００４】
公知の特許明細書ＧＢ１３１４１４８Ａは、コンテナの端壁部が、積み重ねられているときにこれらのコンテナがくっついて詰まることを防止するラグを含むという解決策を開示している。この解決策は、コンテナの本体部材料を構成し、それらの気密性を確保するための現在のパッケージの本質部を構成する、平面的なリム部分を含んでいない。この解決策では、リム部分は、コンテナの縁部から張り出す内側ライニング材料から形成されている。したがって、この解決策は、ラグの上方に、信頼性の高い有利な様式で、単一のパッケージ・ブランクから実質的に平面的なリム部分をどのように生成させるかという本質的な特徴を説明していない。
【発明の概要】
【発明が解決しようとする課題】
【０００５】
本発明は、上述の欠点を排除し、安価で、丈夫で、省スペースで、コスト効率の良い、積み重ね可能な製品パッケージを提供することを目標としている。また、本発明は、入れ子にされた方式で積み重ねられているときに、スタックの中に詰まりを引き起こさない、また、製品パッケージ・スタックが製品パッケージのマシン充填プロセスの中で信頼性高く利用されることを可能にする、積み重ね可能な製品パッケージを提供することを目標としている。本発明による積み重ね可能な製品パッケージは、請求項１の特徴部に記載されているものに特徴付けられる。したがって、本発明による前記積み重ね可能な製品パッケージを製造する方法は、請求項８の特徴部に記載されているものに特徴付けられ、一方、本発明による前記積み重ね可能な製品パッケージのための製品パッケージ・ブランクは、請求項１２の特徴部に記載されているものに特徴付けられる。本発明の他の実施形態は、請求項の残りに記載されているものに特徴付けられる。
【課題を解決するための手段】
【０００６】
本発明による積み重ね可能な製品パッケージは、本体部を含み、本体部は、底部と、底部と関連した壁部と、リム部材とを設けられており、リム部材は、壁部の上側縁部において、折り畳み線に沿って外向きに折られており、実質的に平面的なリム部分を構成しており、本体部は、パックされることとなる製品のための受け入れスペースを囲んでいる。本体部は、２つ以上のブラケット部材を含み、入れ子にされているときに、パッケージを互いに所定の距離に維持する。
【０００７】
少なくとも４つのブラケット部材、および、好ましくは、８つのブラケット部材は、フレーム・パーツの中間壁部の縁部において、平面的なリム部分に面するその端部に適切に提供されており、貯蔵および輸送のために互いの中に積み重ねられているときに、製品パッケージがくっついて詰まることを防止するようになっている。ブラケット部材は、入れ子にされた製品パッケージを間隔を離して配置された状態に維持する役割を果たす。ブラケット部材の支持面から同じ製品パッケージのリム部分の下側面への距離は、１ミリメートル、および、好ましくは、４ミリメートルから６ミリメートルに適切に等しくなっているか、または、それよりも大きくなっている。
【０００８】
本発明による積み重ね可能な製品パッケージを製造する方法において、底部および壁部を有する、パックされることとなる製品のための受け入れスペースと、受け入れスペースのための本体部と、折り目によってリム部材から形成される実質的に平面的なリム部分とが、製品パッケージに関して生成されている。フレーム・パーツのそれぞれの中間壁部の側方縁部において、および、折り畳み線の近位において、ブラケット部材が提供されており、入れ子にされているときに、製品パッケージを間隔を離して配置された状態に維持する。
【０００９】
好ましい解決策によれば、製品パッケージの本体部のブラケット部材は、製品パッケージ・ブランクの中に作製されたブラケット部材カッティング・パターンから形成される。
【００１０】
別の好ましい解決策によれば、製品パッケージの本体部のブラケット部材は、随意的な内側ライニングを適用する前に、フレーム・パーツの中間壁部の中へカットされているブラケット部材を、壁部の表面平面から外へ曲げることによって生成される。
【００１１】
本発明による製品パッケージ・ブランクは、シート状の構造体を含み、シート状の構造体は、リサイクル可能なファイバー材料から作製されており、折り畳み線および切り込みによって分離されている、底部部分、壁部部分、およびリム部分を有しており、製品パッケージの底部、壁部、およびリム部分が、折り畳むことによって製品パッケージ・ブランクから生成されるようになっている。製品パッケージ・ブランクは、その中間壁部に提供されているブラケット部材を有している。
【００１２】
本発明による解決策の利点は、完成されたときに、貯蔵および輸送の間に、製品パッケージ・スタックの中に詰まりが起こることを許容することなく、製品パッケージが、入れ子にされた方式で容易に積み重ね可能となるように作製されるということである。その追加的な利点は、単一の製品パッケージが製品パッケージ・スタックから外へ容易にピックアップされ得るということである。上記は、製品パッケージの信頼性の高いマシン充填プロセスを可能にし、充填プロセスの中の故障状況の数およびプロセス・リードタイムの両方を低減させる。
【００１３】
さらに別の利点は、ブラケット部材を中間壁部に位置決めすることによって、トレイパッケージは、簡単で信頼性の高い安価な平面的なリム部分を提供され得るということである。その理由は、中間壁部は、リム部分の一部を構成しないからである。
【００１４】
さらに別の利点は、そのブラケット部材および実質的に平面的なリム部分を備えた製品パッケージが、単一の厚紙またはボール紙ブランクから折り畳まれ、したがって、材料の重なりを最小化し、製造材料およびコストの節減を結果として生じさせるということである。
【図面の簡単な説明】
【００１５】
以下において、本発明は、添付の図面を参照して、例示的な実施形態によって、より詳細に説明されることとなる。
【００１６】
【図１】本発明による積み重ね可能な製品パッケージの斜視側面および底面図であり、その中間壁部においてブラケット部材を備えていることを示す図である。
【図２】互いの中におよび互いの上に積み重ねられている、図１による製品パッケージの正確な縮尺でない簡単化された側面図である。
【図３】本発明による第４の積み重ね可能な製品パッケージの斜視側面および底面図であり、ブラケット部材が中間壁部から外に曲げられた状態になっていることを示す図である。
【図４】製品パッケージへとそれを折り畳む前の折り畳まれていないブランクの形態の、本発明による製品パッケージの上面図である。
【図５】製品パッケージへとそれを折り畳む前の折り畳まれていないブランクの形態の、図３による製品パッケージの上面図である。
【発明を実施するための形態】
【００１７】
図１から図３は、本発明による２つの積み重ね可能な製品パッケージ１を示しており、その本体部２は、８つの壁部２ａ、２ｂ、２ｃから構成されている。
【００１８】
図１は、本発明による積み重ね可能な製品パッケージ１の斜視側面図であり、その中間壁部２ｃにおいてブラケット部材２ｆを備えている。好ましくは、本発明による積み重ね可能な製品パッケージ１は、食料品パッケージであり、それは、たとえば、レディー・ミール用のものである。製品パッケージ１は、本体部２および随意的な内側ライニングを有している。そして、本体部２は、底部３、２つの側方壁部２ａおよび２つの端壁部２ｂを有しており、また、製品パッケージ１の角部において、それらの間に中間壁部２ｃを有しており、また、追加的に、リム部分４ａを有しており、リム部分４ａは、側方壁部および端壁部２ａ、２ｂの上側縁部から横方向に外向きに延在しており、製品パッケージ１の実質的に平面的なリム部分４を形成している。このセットアップによって、製品パッケージ１は、受け入れスペースを有しており、パックされることとなる製品（たとえば、食品一人前など）のために、底部３および壁部２ａから２ｃを含む。ブラケット部材２ｆは、折り畳み線４ｅの近位において、中間壁部の側方縁部に提供されている。本体部の中間壁部２ｃは、それらのブラケット部材をそれぞれ有しているので、製品パッケージ１のブラケット部材２ｆの数は、合計で８つである。
【００１９】
本体部２は、適切なリサイクル可能なファイバー材料から作製されている。好ましくは、材料は、段ボール、ボール紙、または、任意の他の適当なリサイクル可能なファイバー材料である。本体部２は、たとえば、マシンによって、図６の中に下記に示されているパッケージ・ブランク５からそれを折り畳むことによって形成される。
【００２０】
製品パッケージ１の本体部２の側方壁部２ａおよび端壁部２ｂは、それに接続されている平面的なリム部分４の４つのコンポーネント（すなわち、リム部材４ａ）を有しており、それは、マシンによって、側方壁部２ａおよび端壁部２ｂから外向きに、折り畳み線４ｅ（すなわち、切り込み線）に沿って折り畳まれることとなり、折り畳み線４ｅは、パッケージ・ブランクの中に事前に作製されており、また、随意的な内側ライニングおよび蓋フォイルのための平面的な取り付け面（すなわち、リム部分４）の中へ作製されている。リム部分４のリム部材４ａは、製品パッケージ１の角部において、突き合わせ継手によって接続されており、結果的に、シールされた継手が、リム部分４の角部に生成されている。中間壁部２ｃは、それらを切り込み線２ｅにおいて上向きに折り畳むことによって、および、リム部分４の角部の下方に補強部材２ｄを取り付けることによって生成され、パッケージ・ブランク５の中へ切り込まれたブラケット部材２ｆがリム部分４の下方に製品パッケージ１の本体部２から突き出すという結果を伴う。トレイパッケージのリム部分４の平面的な形状は、蓋をされたときに、製品パッケージを気密にするための重要な特徴であり、したがって、横方向に延在するリム部分４ａが接合されている側方壁部２ａまたは端壁部２ｂに、ブラケット部材２ｆ、２ｇが接合されていないということが必須である。
【００２１】
図２は、互いの中におよび互いの上に積み重ねられている、本発明による製品パッケージ１の正確な縮尺でない簡単化された側面図である。ブラケット部材２ｆは、製品パッケージ１の本体部２から突き出している。下側製品パッケージ１の中に入れ子にされた上側製品パッケージ１のブラケット部材２ｆは、下側製品パッケージ１のリム部材４ａを上側製品パッケージのリム部材４ａからはっきりと間隔を空けて、下側製品パッケージ１の平面的なリム部分４のリム部材４ａの上側面の上に支持されている。下側製品パッケージおよび上側製品パッケージのリム部材４ａは、製品パッケージの平面的なリム部分４の全体にわたって均一に間隔を置いて配置されている。ブラケット部材２ｆ、２ｇの支持面から同じ製品パッケージのリム部材４ａの下側面への距離Ｅは、１ミリメートル、および、好ましくは、４ミリメートルから６ミリメートルに適切に等しくなっているか、または、それよりも大きくなっている。
【００２２】
図３は、本発明による第２の積み重ね可能な製品パッケージ１の斜視側面および底面図であり、ブラケット部材２ｇが本体部２の中間壁部２ｃから外に曲げられた状態になっている。製品パッケージの本体部２は、４つの中間壁部２ｃを有しており、ブラケット部材２ｇは、折り畳み線２ｅの近位に、その上側縁部に中央に提供されており、また、製品パッケージ１が互いに積み重ねられているときに、製品パッケージ１をスタックの中で間隔を離して配置された状態に維持する。ブラケット部材２ｇは、折り畳み線に沿って本体部２から外へブラケット部材２ｇをその場所で曲げることによって、切り込みから形成されており、切り込みは、製品パッケージ・ブランク６の中に作製されており、本体部２を通って延在している。製品パッケージ１のセットアッププロセスにおいて、ブラケット部材２ｇは、任意の内側ライニングが製品パッケージ１の上に適用される前に、外に曲げられなければならない。
【００２３】
図４は、製品パッケージ１へとそれを折り畳む前の折り畳まれていないブランクの形態の、図１による製品パッケージ１の上面図である。製品パッケージ・ブランク５は、シート状の構造体を含み、シート状の構造体は、好ましくは、リサイクル可能なファイバー材料から作製されており、折り畳み線３ｅ、４ｅおよび切り込みによって分離されている、底部部分、壁部部分、およびリム部分を有しており、製品パッケージ１の底部３、壁部２ａ、２ｂ、２ｃ、およびリム部分４ａが、折り畳むことによって製品パッケージ・ブランク５から生成されるようになっている。好ましい解決策によれば、底部部分は、側方壁部２ａおよび端壁部２ｂを形成する壁部部分から、ならびに、中間壁部２ｃを形成する壁部部分から、折り畳み線３ｅに沿って分離されている。加えて、製品パッケージ１のリム部分を形成するリム部材４ａは、側方壁部２ａおよび端壁部２ｂを形成する壁部部分から折り畳み線４ｅに沿って分離されている。中間壁部２ｃは、側方壁部２ａの端部と端壁部２ｂの端部との間に位置しており、出来上がったときに製品パッケージ１の壁部構造体の一部を形成している。好ましくは、折り畳み線２ｅによって分離されている補強部材２ｄは、中間壁部２ｃを形成する壁部部分の自由端部の中に提供されている。ここで、「分離する」は、「取り外すこと」を表しているのではなく、折り畳み線２ｅ、３ｅ、４ｅを作製することを表している。ブラケット部材２ｆは、折り畳み線４ｅの近位に、中間壁部２ｃの横方向に形成されている。
【００２４】
図５は、製品パッケージ１へとそれを折り畳む前の折り畳まれていないブランクの形態の、図３による製品パッケージ１の上面図である。製品パッケージ・ブランク５は、シート状の構造体を含み、シート状の構造体は、好ましくは、リサイクル可能なファイバー材料から作製されており、折り畳み線３ｅ、４ｅおよび切り込みによって分離されている、底部部分、壁部部分、およびリム部分を有しており、製品パッケージ１の底部３、壁部２ａ、２ｂ、２ｃ、およびリム部分４ａが、折り畳むことによって製品パッケージ・ブランク５から生成されるようになっている。好ましい解決策によれば、底部部分は、側方壁部２ａ、端壁部２ｂ、および中間壁部２ｃを形成する壁部部分から、折り畳み線３ｅに沿って分離されている。加えて、製品パッケージ１のリム部分を形成するリム部材４ａは、側方壁部２ａおよび端壁部２ｂを形成する壁部部分から折り畳み線４ｅに沿って分離されている。ブラケット部材２ｇを生成させるための切り込みは、補強部材２ｄの折り畳み線２ｅの近くにおいて、中間壁部２ｃの中央に、中間壁部２ｃの中に作製されている。ブラケット部材２ｇのカットされていない端部において、製品パッケージ１の本体部２から外へブラケット部材２ｇを曲げるための折り畳み線が作製されている。パッケージのセットアッププロセスにおいて、内側ライニング・フォイルが製品パッケージの上に適用される場合には、ブラケット部材２ｇは、内側ライニング・フォイルの適用の前に折り畳み線に沿って外に曲げられなければならない。
【００２５】
上記の例示的な実施形態において、ブラケット部材２ｆ、２ｇは、入れ子にされたときに、製品パッケージ１を間隔を離して配置された状態に維持する役割を果たす。ブラケット部材２ｆ、２ｇの支持面から同じ製品パッケージ１のリム部分４ａの下側面への距離Ｅは、１ミリメートル、および、好ましくは、４ミリメートルから６ミリメートルに適切に等しくなっているか、または、それよりも大きくなっている。
【００２６】
製品パッケージ１は、積み重ねられて少なくとも４つのブラケット部材２ｆ、２ｇによって適切に分離されているときに、くっついて詰まることができず、それぞれの２つの積み重ねられた製品パッケージ１のリム部分４ａは、明確に間隔を離して配置され、製品パッケージの容易でスムーズな充填プロセスを可能にする。ブラケット部材２ｆ、２ｇを中間壁部２ｃ（それは、リム部材４ａを有していない）の中に位置決めすることは、実質的に平面的なリム部分４の容易でスムーズな製造プロセスを可能にする。
【００２７】
本発明は、単に上記に与えられている例に制限されるのではなく、添付の特許請求の範囲の中で変化することが可能であるということが当業者によって認識されることとなる。したがって、いくつかの構造的な解決策は、上記とは異なることが可能である。ブラケット部材は、たとえば、形状、場所、または数が変化することが可能である。また、積み重ねられた製品パッケージ同士の間の間隔は、上記とは異なることが可能である。例として、製品パッケージの中間壁部の中に提供される２つの細長いブラケット部材が、入れ子にされた製品パッケージをスタックの中に間隔を離して配置された状態に維持するのに十分である。
【００２８】
また、積み重ね可能な製品パッケージは、形状が上記とは異なることが可能であるということが当業者によって認識されることとなる。製品パッケージの本体部の最も簡単で最も一般的な形状は、たとえば、長方形である。しかし、パッケージは、ボックス状の長方形形状以外のものを有することが可能である。例として、この形状は、出来上がったブランクの折り畳み線に応じて、多角形であることが可能であり、または、丸形もしくは楕円形であることも可能である。形状が四角形でないときには、壁部の数は、また、上記とは異なることが可能であり、したがって、別個の側方壁部または端壁部は存在しなくてもよく、２つの壁部が提供され、その２つの壁部は、たとえば、湾曲しており、その２つの壁部は、リム部分の近位において、それらの周囲部の上に必要な数のブラケット部材を有している。また、たとえば、底部の近くにおける壁部の追加的な折り目によって、底部と壁部との間の角度をより鋭くなくすることも可能である。さらに、形状は、非対称的であることも可能である。
【００２９】
また、積み重ね可能な製品パッケージは、リサイクル可能なファイバー材料以外の材料から構成され得るということも当業者によって認識されることとなる。このケースでは、製品パッケージの本体部は、段ボールなどのような任意の他の折り畳み可能な材料から作製され得る。製品パッケージの本体部は、異なるグレードのボード、ボール紙、もしくは紙から作製され得り、または、織物材料、もしくは、異なる材料の組み合わせからも作製され得る。
【図１】
2021502313.tif 000003
【図２】
2021502313.tif 000004
【図３】
2021502313.tif 000005
【図４】
2021502313.tif 000006
【図５】
2021502313.tif 000007
【国際調査報告】
2021502313.tif 000008
2021502313.tif 000009
2021502313.tif 000010
2021502313.tif 000011
2021502313.tif 000012
2021502313.tif 000013